【事件の表示】
　特願２００３−５４８５２４「情報付加撮像方法、及び該方法に用いられる撮像装置」拒絶査定不服審判事件〔平成１５年　６月　５日国際公開、ＷＯ０３／４７２３９、請求項の数（１１）〕について、次のとおり審決する。
【結　論】
　原査定を取り消す。
　本願の発明は、特許すべきものとする。
【理　由】
１．手続きの経緯
　本願は、２００２年１１月２７日（優先権主張２００１年１１月２７日、日本国）を国際出願日とする出願であって、平成１７年１月２０日付けで拒絶査定がなされ、これに対し、同年２月２４日に拒絶査定に対する審判請求がなされるとともに、同年３月２３日付けで手続補正がなされたものである。
　
２．補正の適合性
　平成１７年３月２３日付けの手続補正は、第１７条の２第３項ないし第５項の各規定に適合する。概略は、以下のとおりである。
　
（１）補正の内容
　補正の内容は、次のような請求項の補正を含むものである。
　（ａ）請求項１（補正前）を削除する。
　（ｂ）請求項２（補正前）の項番を、請求項１（補正後）に繰り上げ、
「画像の撮像を行う撮像部とその撮像した撮像データを表示する表示部とを備える撮像装置が撮像した撮像データに、イベントに関する情報を付加するための情報付加撮像方法であって、
　上記撮像装置の撮像部が動画像の撮像を行う撮像ステップと、
　上記撮像装置が、無線及び／又は有線の通信回線を介して、複数のイベント項目が時間の経過に伴い順次行われるイベントに関する情報を受信する受信ステップと、
　上記受信ステップで受信したイベントに関する情報を、上記撮像ステップで撮像した撮像データに付加する付加ステップと、
　上記撮像ステップでの動画像の撮像中に、上記付加ステップでイベントに関する情報を付加した撮像データを上記撮像装置の表示部において表示する表示ステップと、
　上記表示ステップにてイベントに関する情報を表示しながら上記付加ステップでイベントに関する情報を付加した撮像データを記録する記録ステップとを含み、
　上記受信ステップは、イベントの進行状況に応じて配信された、イベントに関する情報を受信するステップであり、
　上記付加ステップは、上記受信ステップで情報を受信する度にイベントに関する情報を更新すると共に、その更新したイベントに関する情報を撮像データに付加するステップであることを特徴とする情報付加撮像方法。」と補正する。
　（ｃ）請求項３（補正前）の項番を、請求項２（補正後）に繰り上げ、
「請求項１記載の情報付加撮像方法において、
　受信ステップは、複数のイベント項目が時間の経過に伴い順次行われるイベントに関する情報を蓄積する付加情報蓄積部と、該付加情報蓄積部に蓄積された情報を担当者の操作によって選択する付加情報選択部と、該付加情報選択部に選択された情報を撮像装置に配信する通信部とを有する情報サーバから、イベントの進行状況に応じたイベント項目に関する情報を受信するステップであることを特徴とする情報付加撮像方法。」と補正する。
　（ｄ）請求項４（補正前）の項番を、請求項３（補正後）に繰り上げ、「付加情報」を「イベントに関する情報」と補正する。
　（ｅ）請求項５（補正前）及び請求項６（補正前）の項番を、それぞれ請求項４（補正後）及び請求項５（補正後）に繰り上げる。
　（ｆ）請求項７（補正前）の項番を、請求項６（補正後）に繰り上げ、
「請求項１記載の情報付加撮像方法において、
　付加されるイベントに関する情報は、階層構造に構成されていることを特徴とする情報付加撮像方法。」と補正する。
　（ｇ）請求項８（補正前）及び請求項９（補正前）の項番を、それぞれ請求項７（補正後）及び請求項８（補正後）に繰り上げると共に、「付加情報」を「イベントに関する情報」と補正する。
　（ｈ）請求項１０（補正前）の項番を、請求項９（補正後）に繰り上げると共に、「付加情報」を「イベントに関する」と補正し、「表示させせながら」を「表示させながら」と補正する。
　（ｉ）請求項１１（補正前）の項番を請求項１０（補正後）に繰り上げ、
「請求項７記載の撮像装置において、
　表示部に表示されるイベントに関する情報は、階層構造に構成されると共に、ユーザが操作する選択ボタンを含み、
　上記表示部は、上記選択ボタンが操作されることによって選択された層のイベントに関する情報を付加した撮像データを表示することを特徴とする撮像装置。」と補正する。
　（ｊ）請求項１２（補正前）の項番を、請求項１１（補正後）に繰り上げ、「請求項１０記載の撮像装置において、
　階層構造に構成されたイベントに関する情報は、イベントで行われる競技名を上位階層とし、当該競技に出場する出場者をその下位階層とすることを特徴とする撮像装置。」と補正する。
　
（２）補正の適否
（２−１）補正の範囲（特許法第１７条の２第３項）
　上記各補正事項は、願書の最初に添付した明細書（段落【００３７】、【００７１】等）の記載に基づくものであり、願書に最初に添付した明細書及び図面に記載した事項の範囲内においてする補正である。
　
（２−２）補正の目的（第１７条の２第４項）
　上記補正事項（ａ）は、特許請求の範囲の削除に該当する。
　上記補正事項（ｂ）は、請求項１（補正前）を削除したことに伴い、これと整合を図るものであり、また、補正前の特定事項である「撮像装置」及び「付加情報」を、具体的に限定すると共に不明りょうな記載を補正するものであり、特許請求の範囲の減縮、あるいは明りょうでない記載の釈明に該当する。
　上記補正事項（ｃ）から（ｆ）までは、請求項１（補正前）を削除したことに伴い、これと整合を図るものであり、明りょうでない記載の釈明に該当する。
　上記補正事項（ｇ）から（ｊ）までは、請求項１（補正前）を削除したことに伴い、これと整合を図るものであり、明りょうでない記載の釈明、あるいは誤記の訂正に該当する。
　
（２−３）独立特許要件（第１７条の２第５項）
　上記補正事項（ｂ）は、特許請求の範囲の減縮を目的とするので、以下、独立特許要件について検討する。
　（ａ）補正後発明
　補正後の請求項１ないし１１に係る発明（以下、それぞれ「補正後発明１ないし１１」という。）は、次のとおりのものである。
「【請求項１】
　画像の撮像を行う撮像部とその撮像した撮像データを表示する表示部とを備える撮像装置が撮像した撮像データに、イベントに関する情報を付加するための情報付加撮像方法であって、
　上記撮像装置の撮像部が動画像の撮像を行う撮像ステップと、
　上記撮像装置が、無線及び／又は有線の通信回線を介して、複数のイベント項目が時間の経過に伴い順次行われるイベントに関する情報を受信する受信ステップと、
　上記受信ステップで受信したイベントに関する情報を、上記撮像ステップで撮像した撮像データに付加する付加ステップと、
　上記撮像ステップでの動画像の撮像中に、上記付加ステップでイベントに関する情報を付加した撮像データを上記撮像装置の表示部において表示する表示ステップと、
　上記表示ステップにてイベントに関する情報を表示しながら上記付加ステップでイベントに関する情報を付加した撮像データを記録する記録ステップとを含み、
　上記受信ステップは、イベントの進行状況に応じて配信された、イベントに関する情報を受信するステップであり、
　上記付加ステップは、上記受信ステップで情報を受信する度にイベントに関する情報を更新すると共に、その更新したイベントに関する情報を撮像データに付加するステップで
あることを特徴とする情報付加撮像方法。
　　【請求項２】
　請求項１記載の情報付加撮像方法において、
　受信ステップは、複数のイベント項目が時間の経過に伴い順次行われるイベントに関する情報を蓄積する付加情報蓄積部と、該付加情報蓄積部に蓄積された情報を担当者の操作によって選択する付加情報選択部と、該付加情報選択部に選択された情報を撮像装置に配信する通信部とを有する情報サーバから、イベントの進行状況に応じたイベント項目に関
する情報を受信するステップであることを特徴とする情報付加撮像方法。
　　【請求項３】
　請求項１記載の情報付加撮像方法において、
　所定のイベント項目が行われるタイミングでその旨の通知を要求する予約をしておき、
　受信ステップは、その予約内容に該当するイベント項目が行われるタイミングで配信された、そのイベント項目に関する情報を受信するステップであり、
　付加ステップは、上記受信ステップで情報を受信したときに、その情報に基づいて撮像データにイベントに関する情報を付加するステップであることを特徴とする情報付加撮像方法。
　　【請求項４】
　請求項１記載の情報付加撮像方法において、
　表示ステップは、イベントの進行状況に応じて、現在行われているイベント項目を挟んだ前後のイベント項目を含むイベントの進行表を表示するステップであることを特徴とする情報付加撮像方法。
　　【請求項５】
　請求項１記載の情報付加撮像方法において、
　表示ステップは、イベントの進行状況に応じて、現在行われているイベント項目以降のイベントの進行表を表示するステップであることを特徴とする情報付加撮像方法。
　　【請求項６】
　請求項１記載の情報付加撮像方法において、
　付加されるイベントに関する情報は、階層構造に構成されていることを特徴とする情報付加撮像方法。
　　【請求項７】
　撮像部が撮像した撮像データに、イベントに関する情報を付加する撮像装置であって、
　上記撮像部は動画像を撮像するものであり、
　上記撮像部によって撮像された撮像データを表示する表示部と、
　上記撮像部によって撮像された撮像データを記録する記録部と、
　無線及び／又は有線の通信回線を介して情報の送受信を行う通信部と、
　上記撮像部、表示部、記録部及び通信部のそれぞれを制御する制御部とを備え、
　上記制御部は、上記通信部が受信した情報に基づいて、上記撮像部によって撮像された撮像データにイベントに関する情報を付加するものであって、上記表示部に上記イベントに関する情報を付加した撮像データを上記撮像部による撮像中に表示させながら上記記録部に上記イベントに関する情報を付加した撮像データを記録させるものに構成され、
　上記通信部が受信する情報は、複数のイベント項目が時間の経過に伴い順次行われるイベントに関する情報であって、上記イベントの進行状況に応じて配信される情報であり、
　上記制御部は、上記通信部が情報を受信する度にイベントに関する情報を更新すると共に、その更新したイベントに関する情報を撮像データに付加するものに構成されていることを特徴とする撮像装置。
　　【請求項８】
　撮像部が撮像した撮像データに、イベントに関する情報を付加する撮像装置であって、
　上記撮像部は動画像を撮像するものであり、
　上記撮像部によって撮像された撮像データを表示する表示部と、
　上記撮像部によって撮像された撮像データを記録する記録部と、
　無線及び／又は有線の通信回線を介して情報の送受信を行う通信部と、
　上記撮像部、表示部、記録部及び通信部のそれぞれを制御する制御部とを備え、
　上記制御部は、上記通信部が受信した情報に基づいて、上記撮像部によって撮像された撮像データにイベントに関する情報を付加するものであって、上記表示部に上記イベントに関する情報を付加した撮像データを上記撮像部による撮像中に表示させながら上記記録部に上記イベントに関する情報を付加した撮像データを記録させるものに構成され、
　上記通信部が受信する情報は、複数のイベント項目が時間の経過に伴い順次行われるイベントに関する情報であり、
　上記制御部は、複数のイベント項目が時間の経過に伴い順次行われるイベントに関する情報を蓄積する付加情報蓄積部と、該付加情報蓄積部に蓄積された情報を担当者の操作によって選択する付加情報選択部と、該付加情報選択部に選択された情報を撮像装置に配信する通信部とを有する情報サーバから配信された情報を、上記通信部が受信する度にイベントに関する情報を更新しかつ、その更新したイベントに関する情報を撮像データに付加するものに構成されていることを特徴とする撮像装置。
　　【請求項９】
　撮像部が撮像した撮像データに、イベントに関する情報を付加する撮像装置であって、
　上記撮像部は動画像を撮像するものであり、
　上記撮像部によって撮像された撮像データを表示する表示部と、
　上記撮像部によって撮像された撮像データを記録する記録部と、
　無線及び／又は有線の通信回線を介して情報の送受信を行う通信部と、
　上記撮像部、表示部、記録部及び通信部のそれぞれを制御する制御部とを備え、
　上記制御部は、上記通信部が受信した情報に基づいて、上記撮像部によって撮像された撮像データに付加情報を付加するものであって、上記表示部に上記イベントに関する情報を付加した撮像データを上記撮像部による撮像中に表示させながら上記記録部に上記イベントに関する情報を付加した撮像データを記録させるものに構成され、
　上記通信部が受信する情報は、複数のイベント項目が時間の経過に伴い順次行われるイベントに関する情報であって、所定のイベント項目が行われるタイミングでその旨の通知を要求する予約に応じて配信される情報であり、
　上記制御部は、その予約内容に該当するイベント項目が行われるタイミングで配信された、そのイベント項目に関する情報を上記通信部が受信したときには、その情報に基づいて、撮像データにイベントに関する情報を付加するものに構成されていることを特徴とする撮像装置。
　　【請求項１０】
　請求項７記載の撮像装置において、
　表示部に表示されるイベントに関する情報は、階層構造に構成されると共に、ユーザが操作する選択ボタンを含み、
　上記表示部は、上記選択ボタンが操作されることによって選択された層のイベントに関する情報を付加した撮像データを表示することを特徴とする撮像装置。
　　【請求項１１】
　請求項１０記載の撮像装置において、
　階層構造に構成されたイベントに関する情報は、イベントで行われる競技名を上位階層とし、当該競技に出場する出場者をその下位階層とすることを特徴とする撮像装置。」
　
（ｂ）引用例
（ｂ１）原査定の拒絶理由で引用された特開平１１−７２３４８号公報（以下「引用例１」という。)には、「カメラ装置および情報取得方法」（発明の名称）に関し、図面と共に次に掲げる事項アないしウが記載されている。
　　ア　「【請求項１】　画像情報を取得可能な撮像装置と、衛星からの電波を受信して電波測位を行い、自己の現在地の位置情報を取得可能な位置情報取得装置と、コンピュータネットワークを介して前記位置情報に関連する位置関連情報を取得可能な通信装置と、画像を取得したときの前記位置関連情報を前記通信装置を介して取得可能な制御装置とを有することを特徴とするカメラ装置。
　　【請求項２】　請求項１において、取得した前記画像情報に、前記位置情報および前記位置関連情報の少なくともいずれか一方の情報を関連して記憶可能な記憶装置を有することを特徴とするカメラ装置。
　　【請求項３】　請求項１において、前記通信装置は、少なくとも１つの基地局から前記位置情報を補正可能な差分情報を取得可能であることを特徴とするカメラ装置。
　　【請求項４】　請求項１において、前記通信装置は、前記位置情報に関連する地図情報を取得可能であることを特徴とするカメラ装置。
　　【請求項５】　請求項１において、表示装置を有し、前記画像情報と共に、それに関連した前記位置関連情報を表示可能であることを特徴とするカメラ装置。
　　【請求項６】　請求項１において、前記コンピュータネットワークはインターネットであることを特徴とするカメラ装置。」（特許請求の範囲第１項〜第６項）
　　イ　「本発明のカメラ装置および情報取得方法においては、膨大な情報が流通しているコンピュータネットワークを介して撮影時の位置情報に関連した様々な情報を取得してカメラ装置の側に処理することができる。例えば、レストランを撮影した時に、撮影場所の情報に基づいてコンピュータネットワークに接続されたインターネットのＷＷＷサーバー等の情報提供サーバーからそのレストランの所在地、名称、営業時間、メニュー、価格等の情報を取得して、画像情報にそれらの情報を関連付けして表示あるいは記録することができる。また、撮影場所の最近の地図情報をネットワーク経由で取得して上記の各種情報を関連付けした画像情報をマップ上にマークする等の利用も可能である。」（段落【００１２】）
　　ウ　「本例のカメラ装置１０では、さらに、地図情報に加えて撮影した被写体に関連するその他の情報（位置関連情報）をインターネット４０を経由して得ることができる。例えば、ステップＳＴ８において適当なサーバーのＵＲＬを接続して写映した時の位置情報を送信することにより、そのサーバーから提供可能な位置情報に関連する種々の情報を得ることができる。例えば、被写体が神社仏閣等の場合には、歴史、由来、お祭りの情報等を取得し、表示装置１２に撮影した画像と共に表示することができる。また、被写体がレストランの場合には、名称、所在地、営業時間、メニュー等の情報を取得し、表示装置１２に撮影した画像とともに表示することができる。」（段落【００２３】）
　
（ｂ２）同じく引用された特開平２−３０３２８５号公報（以下「引用例２」という。)には、「記録装置」（発明の名称）に関し、図面と共に次に掲げる事項アないしエが記載されている。
　　ア　「（１）ビデオカメラからの撮像信号を記録する記録装置において、複数のイベント情報を記憶できるイベントメモリを備え、特定キーの１回のキー操作毎に該イベントメモリに記憶されているイベント情報を順次読み出し、該メモリから読み出されたイベント情報に対応するパターン信号を前記撮像信号に多重することを特徴とする記録装置。
（２）ビデオカメラからの撮像信号を記録する記録装置において、計時手段と、複数のイベント情報を記憶できるイベントメモリとを備え、前記計時手段の出力する時刻情報に従い前記イベントメモリに記憶されているイベント情報を順次読み出し、該メモリから読み出されたイベント情報に対応するパターン信号を前記撮像信号に多重することを特徴とする記録装置。」（特許請求の範囲）
　　イ　「撮影前にイベントメモリに記憶されている複数のイベント情報が特定キーの操作によるか、もしくは計時手段の計時する時刻に応じて、次々と読み出されることにより、自動的にプログラム項目やタイトルが撮影映像に写し込めるので、撮影後に記録、編集の煩わしさがない。」（２頁右上欄３行〜９行）    
　　ウ　「２８はビデオカメラからなる映像信号を出力するカメラ部、２９は被写体からの光学像を電子的に確認する電子ビユーフアインダ（ＥＶＦ）、３０は前記カメラ部２８からの映像信号と、前記キヤラクタ・ジエネレータ２７からのパターン信号とを加算する加算器、３１は該加算器３０からの映像信号を処理して記録・再生するレコーダである。」（２頁左下欄１４行〜同頁右下欄１行）
　　エ　「イベントメモリからの情報をスーパーインポーズする」（３頁右下欄５行、６行）
　
（ｂ３）同じく引用された特開平７−２８８７２５号公報（以下「引用例３」という。）には、「ビデオ装置」（発明の名称）に関し、図面と共に次に掲げる事項ア、イが記載されている。
　　ア　「本発明は、固体撮像素子を使用したデジタルカメラのカメラ信号処理装置を使用して、ＧＰＳからの位置データに基づいた地図を、撮像画像と併せて表示、記録するようにしたビデオ装置に関するものである。」（段落【０００１】）
　　イ　「位置データと地図データはカメラ信号処理装置を経由して映像信号に重ねられ、記録されるわけであり、また、出力装置に撮影画像と地図（撮影場所を含む地図）を同時に表示するわけである。録画時にＧＰＳ位置データ発生装置からの位置データを一定時間間隔に連続的に記録する。再生時に地図上に移動軌跡を表示する。」（段落【００１０】）
　
（ｂ４）同じく引用された特開２００１−１３６４７２号公報（以下「引用例４」という。）には、「動画アルバム作成装置、動画アルバム作成方法、および動画アルバム作成プログラムを記録した記録媒体」（発明の名称）に関し、図面と共に次に掲げる事項が記載されている。
　「項目表示手段４０は、上記記憶装置１８に予め記憶された複数種類の項目、或いは項目変更手段４２により変更された複数種類の項目を、その項目の変更のため、或いは画像データから所定の画像を選択して編集する項目を指定するために、画像表示器１３に表示させる。上記複数種類の項目の表示は、所謂メニュー型表示であり、たとえば図４に示すように一挙に表示するようにしてもよいが、表示画面を見やすくするために階層毎に表示させるようにしてもよい。」（段落【００３４】）
　
（ｃ）当審の判断
［補正後発明１について］
（ｃ１）補正後発明１は、明細書の記載によれば、撮像日時や撮像場所の情報は、撮像データを記録した後の編集作業には必要となるものの、実際に撮像しているときには、撮像日時や撮像場所をユーザは認識しており、このため、実際に撮像しているときには、これらの情報はユーザにとって重要な情報ではなく、一方、複数のイベント項目が時間の経過に伴い順次行われるイベント、例えば運動会を撮像する場合には、ユーザ（撮像者）は、今現在、どの競技が行われているかということを、運動会の進行表と照らし合わせて確認することがあること、つまり、運動会を撮像している最中には、運動会が行われている日時や場所の情報ではなく、その運動会の進行状況の情報がユーザにとって必要な情報であるという課題に鑑み（段落【０００６】〜【００９】の記載参照）、補正後発明１の主要な事項である「複数のイベント項目が時間の経過に伴い順次行われるイベントに関する情報を受信する受信ステップと、上記受信ステップで受信したイベントに関する情報を、上記撮像ステップで撮像した撮像データに付加する付加ステップと、上記撮像ステップでの動画像の撮像中に、上記付加ステップでイベントに関する情報を付加した撮像データを上記撮像装置の表示部において表示する表示ステップと、上記表示ステップにてイベントに関する情報を表示しながら上記付加ステップでイベントに関する情報を付加した撮像データを記録する記録ステップとを含み、上記受信ステップは、イベントの進行状況に応じて配信された、イベントに関する情報を受信するステップであり、上記付加ステップは、上記受信ステップで情報を受信する度にイベントに関する情報を更新する」の構成（以下「構成Ａ」という。）を採用したものと認められる。
　
（ｃ２）引用例１には、電波測位によって自己の現在地の位置情報を取得すると共に、この位置情報をコンピュータネットワークを介して送信して、サーバー等のコンピュータネットワークに接続された情報提供システムから自己の現在地の位置情報に関連した様々な情報が得られるようにして、これらネットワークを介して得られた位置関連情報と撮影した画像情報とを関連付けして表示あるいは記録することが記載されており（引用例１の上記ア〜ウの記載参照）、引用例１に記載の発明も、通信回線を介して送られた被写体に関連する情報を取得し、撮影した画像と共に表示し、記録する点では、補正後発明１と類似している。
　しかしながら、引用例１に記載の発明は、撮像をしている最中にユーザーに対してイベント情報を付加した撮像データを表示しながら、イベントの進行状況を認識させて、ユーザによる撮像・記録行動を補助することを予定するものとはいえず、すなわち、補正後発明１の上記課題について記載や示唆がないばかりでなく、補正後発明１の上記「構成Ａ」について何も記載がなく、示唆もない。
　
（ｃ３）引用例２には、撮影前にイベントメモリに記憶されている複数のイベント情報が特定のキーの操作によるか、もしくは計時手段の計時する時刻に応じて、次々と読み出されることにより、自動的にプログラム項目やタイトルが撮影映像に写し込めるので、撮影後に記録、編集の煩わしさがなくなることが記載されており（引用例２の上記ア、イの記載参照）、また、被写体からの光学像を電子的に確認する電子ビューファインダ（ＥＶＦ）を有すること（引用例２の上記ウの記載参照）やイベントメモリからの情報をスーパーインポーズすること（引用例２の上記エの記載参照）が記載されており、
引用例２に記載の発明も、撮影時にイベント情報が写し込まれた映像信号が記録できる点では、補正後発明１と類似している。
　しかしながら、引用例２に記載の発明は、撮像をしている最中にユーザーに対してイベント情報を付加した撮像データを表示しながら、イベントの進行状況を認識させて、ユーザによる撮像・記録行動を補助することを予定するものとはとはいえず、すなわち、補正後発明１の上記課題について記載や示唆がないばかりでなく、上記「構成Ａ」について何も記載がなく、示唆もない。
　仮に、引用例２に記載の発明のビューファインダにおいて、撮像中に撮像映像とイベント情報とがスーパーインポーズして表示されるとしても、そのイベント情報は、イベントメモリから読み出されるものであり、補正後発明１のように、イベントの進行状況に応じて配信されたイベントに関する情報を受信し、その情報を受信する度にイベントに関する情報を更新することを開示しておらず、補正後発明１の上記「構成Ａ」を示唆するものとはいえない。
　
（ｃ４）引用例３には、撮像画像と地図を同時に表示、記録すること（引用例３の上記ア、イの記載参照）、また、引用例４には、画像データに関連する情報を階層構造に表示することは開示されているものの、それら引用例３及び４のいずれにも補正後発明１の上記課題について記載がないばかりでなく、補正後発明１の上記「構成Ａ」について記載がなく、示唆もない。
　
（ｃ５）以上のように、上記各引用例には、補正後発明１の上記課題については何も記載がなく、示唆もないばかりでなく、上記「構成Ａ」についても記載がなく、示唆もないのであるから、上記各引用例を組み合わせても、補正後発明１が容易になし得るとはいえない。
　そして、補正後発明１は、上記「構成Ａ」を採用することにより、「付加情報が付加された撮像データが、その撮像中に撮像装置において表示されるため、ユーザは、撮像装置によって撮像をしているときに、付加情報を知ることができ、その付加情報を、撮像中のユーザにとって必要な情報とすることにより、ユーザはその情報に基づいて撮像を行うことができる結果、ユーザの利便性を向上させることができる。」（段落【００６４】の記載）等の明細書記載の顕著な効果を奏するものと認められる。
　よって、補正後発明１は、上記各引用例に記載の発明から容易になし得たものとすることはできない。
　
［補正後発明２〜６について］
　補正後発明２は、補正後発明１を引用して、さらに限定事項を付加したものであり、上記補正後発明１で検討したことと同様の理由により、上記各引用例に記載の発明から容易になし得たものとすることはできない。
　
［補正後発明７について］
　補正後発明７は、補正後発明１の「情報付加撮像方法」を、「撮像装置」として表現したものといえ、上記補正後発明１で検討したことと同様の理由により、上記各引用例に記載の発明から容易になし得たものとすることはできない。
　
［補正後発明８について］
　補正後発明８は、補正後発明１と同様の上記課題に鑑み、補正後発明８の主要な事項である「上記表示部に上記イベントに関する情報を付加した撮像データを上記撮像部による撮像中に表示させながら上記記録部に上記イベントに関する情報を付加した撮像データを記録させるものに構成され、上記通信部が受信する情報は、複数のイベント項目が時間の経過に伴い順次行われるイベントに関する情報であり、上記制御部は、複数のイベント項目が時間の経過に伴い順次行われるイベントに関する情報を蓄積する付加情報蓄積部と、該付加情報蓄積部に蓄積された情報を担当者の操作によって選択する付加情報選択部と、該付加情報選択部に選択された情報を撮像装置に配信する通信部とを有する情報サーバから配信された情報を、上記通信部が受信する度にイベントに関する情報を更新し」の構成（以下「構成Ｂ」という。）を採用したものといえるが、上記補正後発明１でも検討したように、上記各引用例には、補正後発明８の上記課題について記載がないばかりでなく、上記「構成Ｂ」についても記載がなく示唆もない。
　
［補正後発明９について］
　補正後発明９は、補正後発明１と同様の上記課題に鑑み、補正後発明９の主要な事項である「上記表示部に上記イベントに関する情報を付加した撮像データを上記撮像部による撮像中に表示させながら上記記録部に上記イベントに関する情報を付加した撮像データを記録させるものに構成され、上記通信部が受信する情報は、複数のイベント項目が時間の経過に伴い順次行われるイベントに関する情報であって、所定のイベント項目が行われるタイミングでその旨の通知を要求する予約に応じて配信される情報であり、上記制御部は、その予約内容に該当するイベント項目が行われるタイミングで配信された、そのイベント項目に関する情報を上記通信部が受信したときには、その情報に基づいて、撮像データにイベントに関する情報を付加する」の構成（以下「構成Ｃ」という。）を採用したものといえるが、上記補正後発明１でも検討したように、上記各引用例には、補正後発明９の上記課題について記載がないばかりでなく、上記「構成Ｃ」についても記載がなく示唆もない。
　
［補正後発明１０について］
　補正後発明１０は、補正後発明７を引用して、さらに限定事項を付加したものであり、上記補正後発明７で検討したことと同様の理由により、上記各引用例に記載の発明から容易になし得たものとすることはできない。
　
［補正後発明１１について］
　補正後発明１１は、補正後発明１０を引用して、さらに限定事項を付加したものであり、上記補正後発明１０で検討したことと同様の理由により、上記各引用例に記載の発明から容易になし得たものとすることはできない。
　
（ｄ）まとめ
　以上、平成１７年３月２３日付けの手続補正は特許請求の範囲の減縮を目的とする補正がなされているところ、上記補正後発明１ないし１１は、いずれも上記各引用例記載の発明から当業者が容易に想到し得たものでもなく、またこれら発明につき他に特許を受けることができないとすべき理由も見出せないから、補正後発明１ないし１１は、いずれも特許出願の際独立して特許を受けることができるものである。
　
３．本願発明
　前記２．で認定、判断したとおり、平成１７年３月２３日付け手続補正は採用し得る適法なものであり、そうすると　本願の請求項１ないし１１に係る発明は、補正後の特許請求の範囲における上記補正後発明１ないし１１と同じである。
　
４．原査定の理由
　原査定の理由は、本願の請求項１ないし１２（補正前）に係る発明は、拒絶理由で引用された上記各引用例に記載された発明に基づいて当業者が容易になし得るものであるから、特許法第２９条第２項の規定により特許を受けることができないとするものである。
　
５．当審の判断
  本願の請求項１ないし１１に係る発明、すなわち前記補正後発明１ないし１１が各引用例に記載された発明に基づいて当業者が容易になし得るとはいえないことは、前記２．（２−３）で既に判断したとおりである。
　
６．むすび
　以上のとおりであるから、本願の請求項１ないし１１に係る発明は、各引用例に記載された発明に基づいて当業者が容易になし得るものであるから、特許法第２９条第２項の規定により特許を受けることができないという原査定の理由によっては本願を拒絶することはできない。
　また、他に本願を拒絶すべき理由を発見しない。
　よって、結論のとおり審決する。